(57)【要約】      （修正有）【課題】ロープの２端にかかる応力をバランスよく緩和し、フラットパネルを同一平面に安定に載置する収納ケースを提供する。【解決手段】ロープ５の２端に、それぞれ第１支柱２及び第２支柱３の通孔２２，３２を貫くよう、全体が長く形成された留め具７を用いる。そして、留め具７の長手の一端部７１には、ロープ５の端部を繋ぎとめる固着孔が形成され、他端部には弾性体７３が取りつけられているので、ロープ５を均一に突っ張ることができる。【選択図】図４
0003140777.tif 000002
【実用新案登録請求の範囲】
【請求項１】
所定間隔で縦に一連に並んだ複数の第１支柱と、
複数の第１支柱のそれぞれと左右平行に対応して所定間隔で縦に一連に並んだ複数の第２支柱と、
複数の第１支柱及び複数の第２支柱を箱体に連結した複数の枠材と、
第１支柱と第２支柱の間に架設され、フラットパネルを出し入れ可能な隙間をおいて上下方向に対応する複数のロープとを備え、
前記第１支柱及び前記第２支柱のそれぞれには、
外側に開ロする縦長のスロットが形成され、
内側に前記スロットと連通する複数の通孔が形成され、
ロープの両端は、
前記通孔を通して留め具によりそれぞれ前記第１支柱及び前記第２支柱の前記スロット内に繋ぎ留められ、
前記留め具は、
前記支柱の通孔を貫くよう全体が長く形成され、
長手の一端部にロープの端部を繋ぎとめる固着孔が形成され、他端部に弾性体が取りつけられていることを特徴とする収納ケース。
【請求項２】
前記ロープとして金属線材を用い、
前記金属線材に、前記フラットパネルの滑り移動時における摩擦を緩和する緩衝材を被覆しており、
前記留め具の固着孔は、
前記ロープの端部を把持するための径小部と、該径小部に続いて拡径して前記緩衝材が嵌合固着する径大部とを有することを特徴とする請求項１に記載の収納ケース。
【請求項３】
前記留め具の前記弾性体を取り付けている他端部の末端が、外周側に張り出してフランジを形成していることを特徴とする請求項１又は２に記載の収納ケース。
【請求項４】
前記弾性体としてコイルばねを用いることを特徴とする請求項３に記載の収納ケース。
【考案の詳細な説明】
【技術分野】
【０００１】
本考案は、ガラス板、ＬＣＤ基板などのフラットパネルを集合収納する収納ケースに関する。
【背景技術】
【０００２】
従来から、ガラス板、ＬＣＤ基板などのフラットパネルを集合収納する収納ケースが存在する（例えば特開平６−８０１１６号公報）。
図１は、従来例にかかる収納ケースを示す図であって、収納ケース１は、所定間隔で縦に一連に並んだ複数の第１支柱２… と、複数の第１支柱２，２…のそれぞれと左右平行に対応して所定間隔で縦に一連に並んだ複数の第２支柱３，３…と、複数の第１支柱２，２…及び複数の第２支柱３，３…を箱体に連結した複数の枠材４，４…と、フラットパネルを出し入れ可能な隙間をおいて上下方向に対応し、第１支柱２と第２支柱３の間に架設された複数のロープ５，５…とを備えてなる。
【０００３】
図２に示すように、第１支柱２，２…及び第２支柱３，３…のそれぞれには、外側に開ロする縦長のスロット２１，２１…、３１，３１…が形成され、内側にスロット２１，３１と連通する複数の通孔２２，２２…、３２，３２… が開けてある。ロープ５の両端は各通孔２２，３２に通されて、それぞれスロット２１，３１内にて、留め具６，６によって第１支柱２，第２支柱３に連結されている。
【０００４】
留め具６，６は、一端６１にロープ５の端部を挿着して保持する固着孔６１０が形成され、他端６２にねじ棒６３が連結され、ねじ棒６３，６３が、通孔２２，３２を通してスロット２１、３１内に締め付けられている。このように、留め具６の締め付けによりロープ５に張力を与え、載置されるフラットパネルを同一平面に安定に保持する工夫をしている。
【０００５】
ロープ５としては金属線材５１が用いられ、金属線材５１の外側はゴム材５２で被覆されており、これによって、フラットパネルを載置する時やフラットパネルの滑り移動の時に、フラットパネルに傷がつかないようにすることができる。
また、フラットパネルを載置する際、ロープ５にかかる重量や搬送中に起こる振動・揺動などで、ロープ５の両端に常に応力がかかり、その応力が留め具６のねじ棒６３との連結部分に集中してしまい、連結部分の破断をきたす恐れがある。
【０００６】
その対策として例えば図３に示すものでは、ロープ５の一端側の留め具７は、全体が長く形成され、第１支柱２の通孔２２を貫いた他端部７２は、先端が張り出してフランジ７２１が形成され、コイルばね７３を巻きつけている。
ロープ５の金属線材５１に被覆されたゴム材５２の両端は、留め具６，７の固着孔６１０、７１０に締め付け把持されている。留め具６の他端６２に連結されたねじ棒６３は、２端がそれぞれ通孔３２の両側開ロにナットで締め付けられている。
【０００７】
このように、留め具７に取り付けられたコイルばね７３により、フラットパネルからロープにかかる応力を緩和しながら、ロープ５に張力を与えることができる。
【特許文献１】特開平６−８０１１６号公報
【考案の開示】
【考案が解決しようとする課題】
【０００８】
しかしながら、ロープ５の一端だけに設けられた留め具７のコイルばね７３により、ロープ５の端にかかる応力を緩和することができるが、ロープ５の２端にかかる緩衝力のアンバランスからフラットパネルを同一平面に安定に載置し難い問題がある。また、留め具を２種類用いるので、コストが高くなり、組立ての効率がよくない。
本考案は、上記問題点に鑑みてなされたものであり、簡易な留め具を用い、フラットパネルを同一平面に安定に載置することができる収納ケースを提供することを目的とする。
【課題を解決するための手段】
【０００９】
上記目的を達成するために、本考案は、所定間隔で縦に一連に並んだ複数の第１支柱と、複数の第１支柱のそれぞれと左右平行に対応して所定間隔で縦に一連に並んだ複数の第２支柱と、複数の第１支柱及び複数の第２の支柱を箱体に連結した複数の枠材と、フラットパネルを出し入れ可能な複数の隙間をおいて上下方向に対応して第１支柱と第２支柱の間に架設された複数のロープとを備え、前記第１支柱及び前記第２支柱のそれぞれには、外側に開口する縦長のスロットを形成し、内側に前記スロットと連通する複数の通孔を形成し、ロープの両端は、前記通孔を通して留め具によりそれぞれ前記第１支柱及び前記第２支柱の前記スロット内に繋ぎ留め、前記留め具は、前記支柱の通孔を貫くよう全体が長く形成され、長手の一端部にロープの端部を繋ぎとめる固着孔が形成され、他端部に弾性体が取りつけていることを特徴とする収納ケースを提供する。
【００１０】
なお、前記ロープとして金属線材を用い、前記金属線材に前記フラットパネルの滑り移動時の摩擦を緩和する緩衝材を被覆し、前記留め具の固着孔は、前記ロープの端部を把持するための径小部と、該径小部に続いて拡径して前記緩衝材が嵌合固着する径大部とを有することが好ましい。
また、前記留め具の前記弾性体を取り付けている他端部の末端が外周側に張り出してフランジを形成していることが好ましい。
【００１１】
また、前記弾性体としては、コイルばねを用いることが好ましい。
【考案の効果】
【００１２】
本考案の収納ケースによれば、ロープの２端にそれぞれ設けられた留め具により、ロープの端にかかる応力をバランスよく緩和することができ、フラットパネルを同一平面に安定に載置することができる。また、留め具を１種類用いるので、製造コストを抑えることができ、組立ての効率もよい。
【考案を実施するための最良の形態】
【００１３】
以下、図面を参照しながら本考案の収納ケースに係る実施例を説明する。
本考案の収納ケースとしては、図１に示すように、所定間隔で縦に一連に並んだ複数の第１支柱２，２…と、複数の第１支柱２，２…のそれぞれと左右平行に対応して所定間隔で縦に一連に並んだ複数の第２支柱３，３…と、複数の第１支柱２，２…及び複数の第２支柱３，３…を箱体に連結した複数の枠材４，４…と、フラットパネルを出し入れ可能な複数の隙間をおいて上下方向に対応して第１支柱２と第２支柱３の間に架設された複数のロープ５，５…とを備えている。
【００１４】
図５に示すように、複数の第１支柱２，２…及び複数の第２支柱３，３…のそれぞれには、長手方向沿いの外側に開ロする縦長のスロット２１，２１… 、３１，３１…が形成され、内側にスロット２１，３１と連通する複数の通孔２２，２２…、３２，３２…が形成され、ロープ５の両端部５１１，５１２は、通孔２２，２２…、３２，３２…を通して、留め具７，７により、それぞれ対応する第１支柱２，２… 及び第２支柱３，３…のスロット２１，２１… 、３１，３１…内に繋ぎ留めている。
【００１５】
留め具７は、第１支柱２及び第２支柱３の通孔２２，３２を貫くよう全体が長く形成され、長手の一端部７１にはロープ５の端部５１１を繋ぎとめる固着孔７１０が形成され、他端部７２には弾性体７３が取りつけられている。
なお、ロープ５としては、支持強度がよく錆び難いステンレス鋼などの金属線材５１を用い、金属線材５１に、ゴムや樹脂などの緩衝材５２を被覆しており、それによって、フラットパネルを載置する時やフラットパネルが滑り移動する時に、フラットパネルに擦り傷がつかないようにすることができる。
【００１６】
留め具７の固着孔７１０は、ロープ５の端部５１１，５１２をかしめ把持するための径小部７１１と、該径小部７１１に続いてやや拡径して緩衝材５２が入り込んでくわえつける径大部７１２とを有する。固着孔７１０の径大部７１２に緩衝材５２をくわえ込んで把持することにより、水などが金属線材５１と緩衝材５２との間に侵入することを避けることができる。また、フラットパネルを載置する際、金属線材５１及び緩衝材５２の端部５１１、５１２、５２１、５２２にバランスよく張力がかかるとともに、緩衝材５２の保護により、ロープ５が断裂し難い。
【００１７】
また、留め具７の弾性体７３を取り付けている他端部７２の末端が外周側に張り出してフランジ７２１を形成している。
なお、留め具７の他端部７２の末端外周にねじ山を形成し、ナットを取り付けることによって、つば状に張り出す構成としてもよい。
また、弾性体７３としては、コイルばねを用いることが好ましい。
【００１８】
以上のように、ロープ５の２端部５１１，５１２にそれぞれ設けられた留め具７，７により、ロープ５の端にかかる応力をバランスよく緩和することができ、ロープを均一に突っ張ることができ、フラットパネルを同一平面に安定に載置することができる。
また、留め具７を１種類用いているので、製造コストを抑えることができ、組立ての効率もよい。
【産業上の利用可能性】
【００１９】
本考案の収納ケースは、ロープの端にかかる応力をバランスよく緩和することができ、ロープを均一に突っ張ることができ、使用寿命が長い。
【図面の簡単な説明】
【００２０】
【図１】収納ケースの斜視図である。
【図２】留め具の１従来例を示す断面図である。
【図３】留め具の他の従来例を示す断面図である。
【図４】本考案に係る実施の形態の収納ケース  の部分斜視図である。
【図５】本考案の留め具を示す断面図である。
【符号の説明】
【００２１】
１  収納ケース
２  第１支柱
３  第２支柱
２１，３１  スロット
２２，３２  通孔
４    枠材
５    ロープ
５１  金属線材
５２  緩衝材
５１１，５１２，５２１，５２２  端部
６，７  留め具、
６１，６２，７１，７２  端部
６１０，７１０  固着孔
６３  ねじ棒
７１１  径小部
７１２  径大部
７２１  フランジ
７３    コイルばね
【図１】
0003140777.tif 000003
【図２】
0003140777.tif 000004
【図３】
0003140777.tif 000005
【図４】
0003140777.tif 000006
【図５】
0003140777.tif 000007